(57)【要約】【課題】容易で確実に祝宴会場に配達することができるメッセージカードの印刷を承る印刷システムを提供すること。【解決手段】祝宴の主催者側が端末から入力する祝宴情報を祝宴情報記憶手段に記憶する祝宴情報登録部と、メッセージカードの送り主が端末から指定する祝宴に関する祝宴情報を祝宴情報記憶手段から抽出して送り主の端末に送信し、送り主が端末から入力するメッセージカードに印刷するメッセージ及びメッセージカードの送り主に関する情報を含むメッセージ情報をメッセージ情報記憶手段に記憶するメッセージ情報登録部と、メッセージ情報記憶手段に記憶されているメッセージ情報を祝宴毎に仕分けして印刷所の端末に送信するスケジューラ部とを有する受注サーバと、受注サーバから受信したメッセージ情報に基づいてメッセージカードを印刷する印刷所システムとを備える。【選択図】　　　図１
2004013747.tif 000002
【特許請求の範囲】
【請求項１】
祝宴の主催者に贈られるメッセージカードの印刷を前記メッセージカードの送り主から通信ネットワークを介して受注し、配達する印刷システムであって、
前記祝宴の主催者側が端末から入力する祝宴情報を祝宴情報記憶手段に記憶する祝宴情報登録部と、前記メッセージカードの送り主が端末から指定する前記祝宴に対応する祝宴情報を前記祝宴情報記憶手段から抽出して当該送り主の端末に送信し、前記送り主が前記端末から入力する前記メッセージカードに印刷するメッセージ及び当該メッセージカードの送り主に関する情報を少なくとも含むメッセージ情報をメッセージ情報記憶手段に記憶するメッセージ情報登録部と、前記メッセージ情報記憶手段に記憶されている前記メッセージ情報を前記祝宴毎に仕分けして印刷所の端末に送信するスケジューラ部とを有する受注サーバと、
前記印刷所の端末に接続され、前記受注サーバから受信した前記メッセージ情報に基づいてメッセージカードを印刷する印刷所システムと
を備えることを特徴とする印刷システム。
【請求項２】
前記メッセージ情報登録部は、前記送り主が前記端末から指定する前記メッセージカードの種類に関する情報を含む前記メッセージ情報を前記メッセージ情報記憶手段に記憶し、
前記スケジューラ部は、前記メッセージカードの種類に関する情報を含む前記メッセージ情報を前記祝宴毎に仕分けして印刷所に送信し、
前記印刷所システムは、受信した前記メッセージ情報に含まれる前記メッセージカードの種類に関する情報により指定された種類のメッセージカードに印刷を行うこと
を特徴とする請求項１に記載の印刷システム。
【請求項３】
前記祝宴情報登録部は、前記祝宴毎に固有の祝宴識別情報を割り当て、割り当てられた前記祝宴識別情報を前記祝宴情報に関連づけて前記祝宴情報記憶手段に記憶し、
前記メッセージ情報登録部は、前記送り主が前記端末から入力する前記祝宴識別情報に基づいて前記祝宴に関する祝宴情報を前記祝宴情報記憶手段から抽出すること
を特徴とする請求項１または請求項２のいずれかに記載の印刷システム。
【請求項４】
前記受注サーバは、
前記祝宴情報及び前記祝宴識別情報とを少なくとも含む告知情報を告知情報記憶手段に記憶し、前記祝宴の主催者が端末から入力する告知先の情報を告知先情報記憶手段に記憶する告知情報登録部と、
前記告知情報記憶手段に記憶された告知情報を、前記告知先情報記憶手段に記憶された前記告知先に配信する告知情報配信部と
を有することを特徴とする請求項３に記載の印刷システム。
【請求項５】
前記告知情報登録部は、前記祝宴の主催者が端末から入力する告知文データを含む前記告知情報を前記告知情報記憶手段に記憶し、
前記告知情報配信部は、前記告知情報記憶手段に記憶された前記告知文データを含む前記告知情報を前記告知先に配信する
ことを特徴とする請求項４に記載の印刷システム。
【請求項６】
前記告知情報登録部は、前記祝宴の主催者が端末から入力する告知先の電子メールアドレスを前記告知先情報として前記告知先情報記憶手段に記憶し、
前記告知情報配信部は、前記告知情報記憶手段に記憶された告知情報を、前記告知先情報記憶手段に記憶された告知先の電子メールアドレスに電子メールにより配信する
ことを特徴とする請求項４または請求項５のいずれかに記載の印刷システム。
【請求項７】
前記告知情報登録部は、前記祝宴情報及び前記祝宴識別情報とを少なくとも含む告知情報を告知情報記憶手段に記憶し、前記祝宴の主催者が端末から入力する告知先情報を告知先情報記憶手段に記憶し、
前記スケジューラ部は、前記告知情報記憶手段に記憶された告知情報と前記告知先情報記憶手段に記憶された前記告知先情報とを前記祝宴毎に仕分けして印刷所に送信し、
前記印刷所システムは、前記受注サーバから受信した前記告知情報と前記告知先情報とに基づいて告知カードを印刷する
ことを特徴とする請求項３に記載の印刷システム。
【請求項８】
前記告知情報登録部は、前記祝宴の主催者が端末から入力する告知文データを含む前記告知情報を前記告知情報記憶手段に記憶し、
前記スケジューラ部は、前記告知情報記憶手段に記憶された前記告知文データを含む前記告知情報と前記告知先情報とを前記祝宴毎に仕分けして印刷所に送信する
ことを特徴とする請求項７に記載の印刷システム。
【請求項９】
前記告知情報登録部は、
前記告知先情報と前記祝宴情報とを関連づけ、前記告知先毎に固有の告知先識別情報を割り当て、前記告知先情報に前記告知先識別情報を関連づけて前記告知先情報記憶手段に記憶すること
を特徴とする請求項３に記載の印刷システム。
【請求項１０】
前記祝宴情報登録部は、前記祝宴毎に固有の祝宴認証情報を生成し、生成された前記祝宴識別情報及び前記祝宴情報に関連づけて前記祝宴情報記憶手段に記憶し、
前記メッセージ情報登録部は、前記送り主が前記端末から入力する前記祝宴識別情報及び前記祝宴認証情報に基づいて前記祝宴に関する祝宴情報を前記祝宴情報記憶手段から抽出すること
を特徴とする請求項９に記載の印刷システム。
【請求項１１】
前記告知情報登録部は、
前記告知先情報と前記祝宴情報とを関連づけ、前記告知先毎に固有の告知先認証情報を生成し、
前記告知先情報に前記告知先認証情報を関連づけて前記告知先情報記憶手段に記憶すること
を特徴とする請求項９に記載の印刷システム。
【請求項１２】
祝宴の主催者に贈られるメッセージカードの印刷を前記メッセージカードの送り主から通信ネットワークを介して受注し、配達する印刷システムにおいて用いられる受注サーバであって、
前記祝宴の主催者側が端末から入力する祝宴情報を祝宴情報記憶手段に記憶する祝宴情報登録部と、
前記メッセージカードの送り主が端末から指定する前記祝宴に対応する祝宴情報を前記祝宴情報記憶手段から抽出して当該送り主の端末に送信し、前記送り主が前記端末から入力する前記メッセージカードに印刷するメッセージ及び当該メッセージカードの送り主に関する情報を少なくとも含むメッセージ情報をメッセージ情報記憶手段に記憶するメッセージ情報登録部と、
前記メッセージ情報記憶手段に記憶されている前記メッセージ情報を前記祝宴毎に仕分けして、受信した前記メッセージ情報に基づいてメッセージカードを印刷する印刷所システムに送信するスケジューラ部と
を有することを特徴とする受注サーバ。
【請求項１３】
前記メッセージ情報登録部は、前記送り主が前記端末から指定する前記メッセージカードの種類に関する情報を含む前記メッセージ情報を前記メッセージ情報記憶手段に記憶し、
前記スケジューラ部は、前記メッセージカードの種類に関する情報を含む前記メッセージ情報を前記祝宴毎に仕分けして印刷所に送信すること
を特徴とする請求項１２に記載の受注サーバ。
【発明の詳細な説明】
【０００１】
【発明の属する技術分野】
本発明は、例えば結婚式などの披露宴で、新郎新婦に贈られるメッセージカード等の印刷を承るシステムに係り、インターネット等の通信ネットワークを利用した承り印刷に適用可能な印刷システム及び受注サーバに関する。
【０００２】
【従来の技術】
結婚式やその披露宴に招待されながらやむを得ず欠席する場合や招待されない場合など、当日、会場に足を運ぶことができなくても、お祝い電報（祝電）を打つことで、新郎、新婦を祝う気持ちを伝えることができる。お祝い電報は、配達日（祝宴の開宴日）の１０日前から、電話であるいはインターネットを利用して申し込むことができ、所望の配達日時と時間帯（午前・午後）を指定することができる。
【０００３】
【発明が解決しようとする課題】
このような祝電を打つ場合には、事前に結婚式場の住所、名称、電話番号、披露宴の開宴時間などを調べておき、結婚式やその披露宴が始まる前に会場に届くように配慮する必要がある。会場名や日時、始まる時間など間違えると、せっかくの気持ちが届かないことになる。
【０００４】
例えば、祝電の送り主が届け先として披露宴会場を指定する際に、「ホテルマクハリ」と指定すべきところを誤って「マクハリロイヤルホテル」と祝宴会場を誤って指定した場合には、そのまま誤った祝宴会場に配達されてしまう。
【０００５】
同様に、祝電の配達日時を誤って指定した場合には、その祝電は誤って指定された日時で祝宴会場に配達されることになる。
【０００６】
さらに、祝電の配達先がホテルなどで多数の祝宴が同日に開催される場合には、人手作業によるミスを完全には防止できず、結婚当事者はその祝電を受け取ることができなくなる場合も発生する。
【０００７】
本発明は、このような課題に鑑みてなされたものであり、容易で確実に祝宴会場に配達することができるメッセージカードの印刷を承る印刷システム及び受注サーバを提供することを目的とする。
【０００８】
【課題を解決するための手段】
本発明に係る印刷システムは、祝宴に配達するメッセージカードの印刷と指定場所への配達を前記メッセージカードの送り主から通信ネットワークを介して承る印刷システムであって、祝宴の主催者側がネットワークを介して端末から入力する祝宴情報を祝宴情報記憶手段に記憶する祝宴情報登録部と、前記メッセージカードの送り主がネットワークを介して端末から入力する前記祝宴に対応する祝宴情報を前記祝宴情報記憶手段から抽出して前記送り主の端末に送信し、前記送り主が前記端末から入力する前記メッセージカードに印刷するメッセージ及び前記送り主に関する情報を少なくとも含むメッセージ情報をメッセージ情報記憶手段に記憶するメッセージ情報登録部と、祝宴情報から受注サーバが実行すべき各種標準的スケジュールを逆算し、祝宴の主催者の要望を受けてスケジュールを修正し、修正後スケジュールと祝宴情報または祝宴識別情報とを関連付け、スケジュール記憶手段に格納すると共に、受注サーバのタイマーを参照して当日実行すべきスケジュールを抽出して実行または指示をするスケジューラ部とを有する受注サーバと、前記印刷所に設けられ、前記受注サーバから受信した前記メッセージ情報に基づいてメッセージカードを印刷する印刷所システムとを備えることを特徴とする。
【０００９】
すなわち、本発明に係る印刷システムによると、送り主が端末からメッセージカードを注文する際に送り先の祝宴が自動的に特定されるため、前記送り主は事前に結婚式場の住所、名称、電話番号、披露宴の開宴時間などを調べておかなくても、配達日時が遅すぎてメッセージカードの配達が祝宴に間に合わない、メッセージカードが誤った配達先に配達されてしまう等の指定誤りによるトラブルを排除することができ、前記送り主が注文したメッセージカードは祝宴の主催者に確実に配達される。
【００１０】
さらに、メッセージカードの注文情報を各祝宴情報毎に仕分けして印刷所に送信し、印刷するようにしているため、祝宴の主催者宛てのメッセージカードを一つのパッケージにして印刷所から前記祝宴主催者まで配達するため、人手作業によるミスを極力排除することができ、配送費用も低減できる。
【００１１】
また、前記祝宴情報登録部は、前記祝宴毎に固有の祝宴識別情報を割り当て、割り当てられた前記祝宴識別情報を前記祝宴情報に関連づけて前記祝宴情報記憶手段に記憶し、前記メッセージ情報登録部は、前記送り主が前記端末から入力する前記祝宴識別情報に基づいて祝宴情報を前記祝宴情報記憶手段から抽出するように構成することもできる。このような構成によれば、メッセージカードの送り主は、祝宴毎にユニークに付与された祝宴識別情報を端末から入力することで目的とする祝宴を特定でき、メッセージカードの印刷及び配達を注文することができるので、目的とする祝宴の情報を検索する労力を軽減することができる。
【００１２】
また、前記受注サーバは、さらに、前記祝宴情報及び前記祝宴識別情報とを少なくとも含む告知情報を告知情報記憶手段に記憶し、前記祝宴の主催者が端末から入力する告知先情報を告知先情報記憶手段に記憶する告知情報登録部と、前記告知情報記憶手段に記憶された告知情報を、前記告知先情報記憶手段に記憶された前記告知先に配信する告知情報配信部とを有する構成とすることもできる、このような構成によれば、祝宴の主催者が登録した告知先に祝宴情報及び祝宴識別情報を含む告知情報を送ることができ、告知先であるメッセージカードの送り主は端末から祝宴識別情報を利用して簡単に祝宴を特定することができる。
【００１３】
告知情報を告知先に送る際に、告知先に祝宴情報及び祝宴識別情報とを含む告知情報が電子メールにより配信されるように構成することで、告知先であるメッセージカードの送り主は、電子メールにおける祝宴識別情報を入力するだけで簡単に目的とする祝宴を特定することができる。
【００１４】
また、告知情報を告知先に送る際に、告知先に祝宴情報及び祝宴識別情報とを含む告知情報が告知カードにより送付されるように構成することで、電子メールアドレスを持たない告知先でも、告知カードに記載された祝宴識別情報を端末から入力するだけで簡単に祝宴を特定することができる。
【００１５】
さらに、前記告知情報登録部は、前記告知先情報と前記祝宴情報とを関連づけ、前記告知先毎に固有の告知先識別情報を割り当て、前記告知先情報に前記告知先識別情報を関連づけて前記告知先情報記憶手段に記憶するように構成することもできる。このような構成によれば、告知先識別情報を利用して告知先を特定することができるので、告知先であるメッセージカードの送り主は、メッセージカードの印刷・配送を注文する際に、送り主自身の住所や氏名などの情報を入力する労力を軽減することができる。
【００１６】
さらにまた、前記祝宴情報登録部は、前記祝宴毎に固有の認証情報を生成し、生成された前記祝宴識別情報及び前記祝宴情報に関連づけて前記祝宴情報記憶手段に記憶し、前記メッセージ情報登録部は、前記送り主が前記端末から入力する前記祝宴識別情報及び前記認証情報に基づいて前記祝宴に関する祝宴情報を前記祝宴情報記憶手段から抽出するように構成することもできる。このような構成によれば、祝宴の情報が第三者に漏洩することを防止し、祝宴の情報の機密性を向上させることができる。
【００１７】
【発明の実施の形態】
以下、本発明の実施例を図面に基づいて説明する。なお、各図面を通じて同一もしくは同等の部位や構成要素には、同一もしくは同等の参照符号を付し、その説明を省略もしくは簡略化する。
【００１８】
［メッセージカード印刷システムの構成］
図１及び図２に例示するように、本発明に係る印刷システムは、例えば結婚式で贈られるお祝いのメッセージカードの場合、メッセージカードの送り主となる告知先３の注文に応じて、印刷所４にてメッセージカードにお祝いのメッセージを印刷して、結婚式の祝宴会場にいる祝宴の主催者（新郎新婦２）に配達するメッセージカード印刷システムに適用することができる。
【００１９】
ここで、「告知先」とは、前記祝宴の主催者が祝宴に招待する人はもちろん、諸種の事情で招待することができないが結婚式や披露宴の開催を告知したい先として所望する人（自然人、法人）、会社関係の人、親戚、友人などが含まれる。
【００２０】
メッセージカード印刷システムは、祝宴会場を提供するホテル１に設けられたホテル端末６、メッセージカードの送り主となる告知先３に設けられた告知先端末８、告知先３から送られるメッセージカードの受取人となる新郎新婦２に設けられた主催者端末７、印刷所４に設けられた印刷端末９及び印刷装置１０からなる印刷所システム、祝宴メッセージ印刷サービスを提供するサービス提供者に設けられた受注サーバ５を有し、これら各構成要素はインターネット等の電子ネットワーク２０を介して接続される。
【００２１】
ここで、「ホテル」とは、祝宴会場を提供する会場提供業者の一例であって、ホテル以外にも、例えば、神社、寺社、教会、市民会館などの公共施設、民間の専門式場など、国内外の様々な施設であっても良い。
【００２２】
なお、図１及び図２に示した例では、印刷所４と受注サーバ５をそれぞれ別に設けているが、印刷所４が本印刷システムを使用するサービス提供者である場合には、印刷端末９と受注サーバ５を一つの装置により構成してもよい。また、メッセージカードを印刷する印刷端末９及び印刷装置１０は印刷所４に設けられる構成としたが、例えばホテル１が印刷端末９及び印刷装置１０を設けてもよい。
【００２３】
［端末の構成］
ホテル１のホテル端末６、新郎新婦２の主催者端末７、告知先３の告知先端末８、及び印刷端末９は、例えばパーソナルコンピュータ、ワークステーション、ＰＤＡ（Ｐｅｒｓｏｎａｌ　Ｄｉｇｉｔａｌ　Ａｓｓｉｓｔａｎｔ）等の情報処理装置で構成され、各種データの入力機能、各種データの表示機能、電子ネットワーク２０を利用したデータ通信機能、及び電子メール送受信機能を備える。
【００２４】
また、ホテル１のホテル端末６、新郎新婦２の主催者端末７、告知先３の告知先端末８、及び印刷端末９には、電子ネットワーク２０上で受注サーバ５が公開するウェブサイトを閲覧するためのウェブブラウザ（Ｗｅｂ　Ｂｒｏｗｓｅｒ）がインストールされている。
【００２５】
なお、電子ネットワーク２０がインターネットである場合、ホテル端末６、新主催者端末７、告知先端末８、及び印刷端末９は、例えば、ＴＣＰ／ＩＰ（Ｔｒａｎｓｆｅｒ　Ｃｏｎｔｒｏｌ　Ｐｒｏｔｏｃｏｌ／Ｉｎｔｅｒｎｅｔ　Ｐｒｏｔｏｃｏｌ）等をベースとしたＨＴＴＰ（ＨｙｐｅｒＴｅｘｔ　Ｔｒａｎｓｆｅｒ　Ｐｒｏｔｏｃｏｌ）ネットワーク用プロトコル、ＳＭＴＰ（Ｓｉｍｐｌｅ　ＭａｉｌＴｒａｎｓｆｅｒ　Ｐｒｏｔｏｃｏｌ）やＰＯＰ（Ｐｏｓｔ　Ｏｆｆｉｃｅ　Ｐｒｏｔｏｃｏｌ）等の電子メール用プロトコルを実装する。そして、これらの各ホテル端末６、新主催者端末７、告知先端末８、印刷端末９は、実装されている上記プロトコルを利用してデータ通信処理及び電子メール送受信処理を実行する。
【００２６】
［サーバ装置の構成］
受注サーバ５は、例えばパーソナルコンピュータやワークステーション等の情報処理装置で構成され、図３に示すように、ＣＰＵ（Ｃｅｎｔｒａｌ　Ｐｒｏｃｅｓｓｉｎｇ　Ｕｎｉｔ）１１、ＲＡＭ（Ｒａｎｄｏｍ　Ａｃｃｅｓｓ　Ｍｅｍｏｒｙ）１２、ＲＯＭ（Ｒｅａｄ　Ｏｎｌｙ　Ｍｅｍｏｒｙ）１３、通信制御部１４、祝宴情報データベース１５、メッセージ情報データベース１６、告知情報データベース１７、告知先情報データベース１８を備え、これらをバスを介して接続した構成となっている。
【００２７】
ＣＰＵ１１は、ＲＯＭ１３に記憶された各種処理プログラムや処理用データをＲＡＭ１２へとロードし、ＲＡＭ１２上にロードした各種処理プログラムに従ってデータ処理を実行する。
【００２８】
通信制御部１４は、ＴＣＰ／ＩＰをベースとしたＨＴＴＰ等のネットワーク用プロトコル、例えばＳＭＴＰやＰＯＰ等の電子メール用プロトコルを実装する。この通信制御部１４は、実装されているプロトコルを使用して、電子ネットワーク２０の形態に応じた形式で各種データを送信する。
【００２９】
ＲＡＭ１２は、ＣＰＵ１１が実行する各種処理に関する各種プログラムをロードし処理用データを処理するワークエリアである。
【００３０】
ＲＯＭ１３は、磁気的、光学的記録媒体若しくは半導体メモリ等といった、ＣＰＵ１１が読み取り可能な記録媒体を含んだ構成となっている。また、ここでは理解を容易にするために処理プログラムを処理毎に分けて構成したが、これら各種処理プログラムを一つに構成してもよい。ＲＯＭ１３に格納されている各種処理プログラムは、祝宴情報登録部２１、告知情報登録部２２、告知情報配信部２３、メッセージ情報登録部２４、スケジューラ部２５から構成されている。
【００３１】
祝宴情報登録部２１は、祝宴の主催者の代理であるホテル１がホテル端末６から、あるいは祝宴の主催者（新郎新婦２）が主催者端末７から入力する祝宴情報を祝宴情報データベース１５に格納するプログラムである。また、祝宴情報登録部２１は、祝宴毎に固有の祝宴識別情報を割り当て、前記祝宴識別情報を祝宴情報に関連づけて祝宴情報データベース１５に格納するプログラムである。さらにまた、祝宴情報登録部２１は、祝宴毎に固有の祝宴認証情報を生成し、前記祝宴識別情報及び前記祝宴認証情報とを前記祝宴情報に関連づけて前記祝宴情報データベース１５に格納するプログラムである。なお、祝宴認証情報は、新郎新婦２の要求により変更可能に設定されている。
【００３２】
告知情報登録部２２は、前記祝宴情報及び前記祝宴識別情報とを少なくとも含む告知情報を告知情報データベース１７に格納するプログラムである。また、告知情報登録部２２は、新郎新婦２が主催者端末７から入力する告知先３の告知先情報を告知先情報データベース１８に格納するプログラムである。また、告知情報登録部２２は、告知先情報と祝宴情報とを関連づけ、告知先３毎に固有の告知先識別情報を生成し、告知先情報データベース１８に格納するプログラムである。またさらに、告知情報登録部２２は、告知先３毎に固有の告知先認証情報を生成し、前記告知先識別情報および前記告知先認証情報とを前記告知先情報と関連づけて前記告知先情報データベース１８に格納するプログラムである。
【００３３】
告知情報配信部２３は、スケジューラ部２５の指示により告知情報データベース１７に格納された告知情報を、告知先情報データベース１８に格納された告知先３の告知先端末８に配信するプログラムである。
【００３４】
メッセージ情報登録部２４は、メッセージカードの送り主である告知先３が告知先端末８から指定する祝宴に対応する祝宴情報を、祝宴情報データベース１５から抽出して告知先端末８に送信するプログラムである。また、メッセージ情報登録部２４は、メッセージカードの送り主が告知先端末８から入力する祝宴識別情報に基づいて祝宴に関する祝宴情報を祝宴情報データベース１５から抽出し、告知先端末８に送信するプログラムである。さらに、メッセージ情報登録部２４は、告知先３が告知先端末８から入力する、メッセージカードに印刷するメッセージ及び告知先３に関する告知先情報を少なくとも含むメッセージ情報をメッセージ情報データベース１６に格納するプログラムである。
【００３５】
スケジューラ部２５は、祝宴情報と祝宴識別情報とを祝宴情報登録部２１から受け取ると受注サーバ５が管理すべき標準的スケジュール（処理期限）を逆算し、ホテル端末１、主催者端末７に送信し、新郎新婦２の確認を求める。確認の結果、新郎新婦２からの修正要求が主催者端末７から送信された場合はその可否を判別し最終的なスケジュール（処理期限）を決め、スケジュールデータベース１９に祝宴情報および祝宴識別情報とを関連づけて格納するプログラムである。
【００３６】
さらに、スケジューラ部２５は、受注サーバ５のタイマーを参照して毎日スケジュールデータベース１９を検索して、当該日に告知電子メール配信指定日となっている祝宴情報または祝宴識別情報を抽出して、告知電子メール配信処理を実行するよう告知情報配信部２３に指示を送る。
【００３７】
さらに、スケジューラ部２５は、受注サーバ５のタイマーを参照して、毎日スケジュールデータベース１９を検索して、処理すべきスケジュール（処理期限）を抽出し、告知情報および告知先情報の入力期限は主催者端末７に警告メッセージを送信し、告知カードの印刷は告知情報データベース１７、告知先情報データベース１８、祝宴情報データベース１５に、およびメッセージカードの印刷はメッセージ情報データベース１６、祝宴情報データベース１５に格納されている情報を祝宴毎に仕分けして印刷所４の印刷端末９に送信するプログラムである。
【００３８】
祝宴情報データベース１５には、ホテル１がホテル端末６からあるいは新郎新婦２が主催者端末７から入力した、図１０に例示するような挙式や披露宴の日時、住所、さらには図１１に例示するような新郎新婦２の名前やプロフィール等の祝宴情報が祝宴毎に固有の祝宴識別情報を付与されて格納されている。
【００３９】
メッセージ情報データベース１６には、告知先３が告知先端末８から格納した、図１３に例示するような新郎新婦２へのメッセージ、図１２に例示するようなメッセージを印刷するメッセージカードの種類、図１４に例示するようなメッセージカードの送り主である告知先３の氏名、住所等をメッセージ情報として、祝宴情報データベース１５に格納されている祝宴情報と関連付けして格納されている。また、このメッセージ情報データベース１６には、電子ネットワーク２０を介して告知先端末８等から参照可能にメッセージの文例（図１４参照）が格納されている。
【００４０】
告知情報データベース１７には、ホテル１がホテル端末６からあるいは新郎新婦２が主催者端末７から入力した告知文が、祝宴情報データベース１５に記憶されている祝宴情報又は祝宴識別情報と関連付けされて格納されている。また、この告知情報データベース１７には、電子ネットワーク２０を介して主催者端末７等から参照可能に告知文の文例が格納されている。
【００４１】
告知先情報データベース１８には、告知情報データベース１７に格納されている告知情報を送信するための告知先３の電子メールアドレス、又は送付するための告知先３の住所や氏名等の告知先情報に、告知先３毎に固有の告知先識別情報及び告知先認証情報が付与されて格納されている。
【００４２】
［メッセージカード印刷システムの動作］
本実施形態における、メッセージカード印刷システムは、以下の５つの処理を実行することにより、祝宴メッセージ印刷サービスを実現する。
【００４３】
（１）祝宴情報登録処理
（２）告知情報登録処理
（３）メッセージカード受注処理
（４）スケジュール処理
（５）メッセージカード印刷処理／告知カード印刷処理
以下、上記５つの処理に分けてメッセージカード印刷システムの動作について詳しく説明する。
【００４４】
〔祝宴情報登録処理〕
初めに、図４に示すフローチャートを参照して、ホテル１及び新郎新婦２がホテル端末６から電子ネットワーク２０を介して祝宴情報データベース１５に祝宴情報を格納する祝宴情報登録処理を実行する際の、ホテル端末６と受注サーバ５の処理動作について詳しく説明する。
【００４５】
ステップＳ０１の処理において、ホテル１及び新郎新婦２が、ホテル端末６を操作して、電子ネットワーク２０を介して受注サーバ５にアクセスし、受注サーバ５に対して祝宴情報の登録要求を送信する。
【００４６】
ステップＳ０２の処理において、受注サーバ５がホテル端末６から祝宴情報の登録要求を受信することで祝宴情報登録部２１の処理動作を開始し、電子ネットワーク２０を介して挙式や披露宴の会場名、住所、日時や、新郎新婦２の名前等の祝宴情報を入力するため、図示しない祝宴情報入力フォームをホテル端末６に送信する。
【００４７】
ステップＳ０３の処理において、ホテル端末６は、受注サーバ５から送信された祝宴情報入力フォームを表示し、ホテル１及び新郎新婦２がホテル端末６を操作して前記祝宴情報入力フォームに祝宴情報を入力する。
【００４８】
ステップＳ０４の処理において、ホテル１及び新郎新婦２は、祝宴情報の入力が完了したら、前記祝宴情報入力フォームに設けられた送信ボタンをクリックすることで送信する（図１における「祝宴情報登録３１」）。
【００４９】
ステップＳ０５の処理において、祝宴情報登録部２１は、受信した祝宴情報を祝宴情報データベース１５に格納する。なお、機密性を高めるために祝宴識別情報を付与する場合は、祝宴情報登録部２１は、受信した祝宴情報に固有の祝宴識別情報を生成付与する。さらに機密性を高めたい場合、祝宴情報登録部２１は、受信した祝宴情報に固有の祝宴識別情報に加え祝宴認証情報を生成付与しても良い。
【００５０】
ステップ０６の処理において、祝宴情報登録部２１は、電子ネットワーク２０を介して、祝宴情報の登録完了と受注サーバ５のＵＲＬおよび祝宴識別情報、祝宴認証情報をホテル端末６および主催者端末７に送信する（図１における「祝宴識別情報、祝宴認証情報の送信３２」）。なお、受注サーバ５は、祝宴情報の登録完了と受注サーバ５のＵＲＬおよび祝宴識別情報、祝宴認証情報を電子メールで送信しても良い。
【００５１】
ステップＳ０７の処理において、祝宴情報登録部２１は、祝宴識別情報、祝宴認証情報を付与した場合は祝宴情報データベース１５に祝宴情報と関連づけて格納する。
【００５２】
ステップＳ０８の処理において、祝宴情報登録部２１は、祝宴情報をスケジューラ部２５に出力して処理を終了する。
【００５３】
ステップＳ０９の処理において、ホテル端末６および主催者端末７は、祝宴情報登録部２１から送信された情報を表示する。
【００５４】
以上の処理の流れにより祝宴情報登録処理は終了する。
【００５５】
〔告知情報登録処理〕
次に、図５に示すフローチャートを参照して、新郎新婦２が主催者端末７から告知情報データベース１７に告知情報を格納する告知情報登録処理を実行する際の、主催者端末７と受注サーバ５の処理動作について詳しく説明する。
【００５６】
なお、この告知情報登録処理は、図４に示した祝宴情報登録処理に連続して行うようにしてもよい。さらに、この告知情報登録処理は、新郎新婦２の代理者、例えばホテル１がホテル端末６を用いて行うようにしてもよい。
【００５７】
ステップＳ１１の処理において、新郎新婦２が主催者端末７を操作して、電子ネットワーク２０を介して受注サーバ５にアクセスし、受注サーバ５に対して告知情報の登録要求を送信する。
【００５８】
ステップＳ１２の処理において、受注サーバ５が主催者端末７から告知情報の登録要求を受信すると、告知情報登録部２２は処理動作を開始し、祝宴情報または祝宴識別情報または祝宴識別情報と祝宴認証情報を入力する祝宴検索フォームを主催者端末７に送信する。
【００５９】
ステップＳ１３の処理において、主催者端末７は、告知情報登録部２２から送信された祝宴検索フォームを表示し、新郎新婦２が祝宴情報または祝宴識別情報または祝宴識別情報と祝宴認証情報を入力する。
【００６０】
ステップＳ１４の処理において、新郎新婦２は、前記入力が終了したら祝宴検索フォームの送信ボタンをクリックし告知情報登録部２２に送信する。（図１における「祝宴情報、祝宴識別情報、祝宴認証情報によるアセス３５」）
ステップＳ１５の処理において、告知情報登録部２２は、受信した祝宴情報、祝宴識別情報、または祝宴識別情報と祝宴認証情報により祝宴情報データベース１５を検索し、祝宴情報を抽出する。
【００６１】
ステップＳ１６の処理において、告知情報登録部２２は、祝宴情報、祝宴識別情報、または祝宴識別情報と祝宴認証情報に一致する祝宴情報が格納されているか否かを判別する。
【００６２】
ステップＳ１７の処理において祝宴情報が格納されていない場合、告知情報登録部２２はエラーメッセージを主催者端末７に送信し処理をステップＳ１２に戻す。
【００６３】
ステップＳ１８の処理において、祝宴情報が格納されている場合、告知情報登録部２２は、告知文および告知先情報等の告知情報を入力する告知電子メール／告知カード作成フォームを主催者端末７に送信する。
【００６４】
ステップＳ１９の処理において、主催者端末７は告知情報登録部２２から送信された告知電子メール／告知カード作成フォームを表示し、新郎新婦２は主催者端末７を操作して告知文および告知先情報等の告知情報を入力する。なお、告知文は新郎新婦２のオリジナルでも、告知情報データベース１７等に格納されている文例の中から選択しても良い。
【００６５】
ここで、本実施形態におけるメッセージカード印刷システムでは、告知情報を電子メール或いは告知カードのいずれかの手段で告知するかを告知先３毎に指定することができる。具体的には、告知情報を電子メールで告知する場合は、告知電子メール／告知カード作成フォームの所定欄に氏名および電子メールアドレスを入力する。また、告知情報を告知カードで告知する場合は、告知電子メール／告知カード作成フォームの所定欄に氏名および住所、郵便番号等を入力する。なお、新郎新婦２が告知カードに告知先３の氏名、宛先等を手書きで記入したい場合は入力しない。
【００６６】
さらに、告知先の氏名、電子メールアドレスまたは住所、郵便番号等は主催者端末７から１件毎に入力しても良いし、予め所定のデータフォーマット（例えば、ＣＳＶ（Ｃｏｍｍａ　Ｓｅｐａｒａｔｅｄ　Ｖａｌｕｅ）形式）を告知情報データベース１７からダウンロードして、所定のデータフォーマットで作成したファイルをアップロードしても良い。
【００６７】
また、告知電子メールの発信日または告知カードの引き渡し日をスケジューラ部２５で作成した標準的スケジュールとは特に違えて希望する場合は、前記発信日または引き渡し日を告知電子メール／告知カード作成フォームの所定欄に入力する。さらに、予備の告知カードを希望する場合は必要枚数を所定欄に入力する。
【００６８】
ステップＳ２０の処理において、新郎新婦２は主催者端末７を操作して、告知電子メール／告知カード作成フォームの所定欄に入力が完了すると、送信ボタンをクリックして告知情報登録部２２に送信する（図１における「告知情報および告知先情報登録３６」）。
【００６９】
ステップＳ２１の処理は、本システムの機密性を高めるための処理の手順であり、機密性を低くした場合はスルーする。祝宴情報等の機密性を高める場合、告知情報登録部２２は、主催者端末７から告知情報を受信すると告知先３毎に固有の告知先識別情報を生成付与する。さらに機密性を増す場合は、告知情報登録部２２は、告知先識別情報に加え告知先認証情報を付与する。この場合、告知先認証情報は告知先３が自らの都合で変更可能に設定されている。
【００７０】
ステップＳ２２の処理において、告知情報登録部２２は、受信した告知情報を告知情報データベース１７に格納し、告知先情報を告知先情報データベース１８に祝宴情報と関連づけて格納する。また告知先識別情報、告知先認証情報が付与された場合は、併せて祝宴情報と関連づけて格納する。さらに送付先として入力された住所、郵便番号の整合性をチェックするよう構成しても良い。
【００７１】
ステップＳ２３の処理において、告知情報登録部２２は、告知情報を告知情報データベース１７に格納し、告知先情報を告知先情報データベース１８に祝宴情報と関連づけて格納すると主催者端末７に告知文および告知先情報等の告知情報の格納完了を送信して処理を終了する。
【００７２】
ステップＳ２４の処理において、主催者端末７は告知情報登録部２２から送信された情報を表示する。
【００７３】
以上の処理の流れにより告知情報登録処理は終了する。
【００７４】
〔スケジュール処理〕
本印刷システムにおけるスケジュール管理はスケジューラ部２５が実行する。
【００７５】
スケジューラ部２５は、祝宴情報が祝宴情報登録部２１から入力されると処理を開始し、祝宴情報の式日等から予め定めた期間により標準的スケジュールを算出する。特に新郎新婦２が主催者端末７から標準的スケジュールとは異なるスケジュールを指定した場合はその可否を判別し、可の場合は指定されたスケジュールに変更する。またスケジュール部２５は、スケジュールデータベース１９に祝宴情報と祝宴識別情報とを関連づけて格納する。
【００７６】
さらにスケジューラ部２５は、毎日、当該日でスケジュールデータベース１９を検索して実行すべきスケジュールを抽出し、祝宴情報／祝宴識別情報に応じた告知カードおよびメッセージカードの印刷情報送信や、告知情報登録部２２への告知電子メール発信指示、および告知情報の入力期限、メッセージカード受注期限等の警告発信等を実行する。
【００７７】
〔メッセージカード受注処理〕
図６及び図７に示すフローチャートを参照して、メッセージカードの送り主である告知先３からのメッセージカード受注処理を実行する際の、告知先３の告知先端末８とメッセージ登録部２４の処理動作について詳しく説明する。
【００７８】
告知先３は、新郎新婦２から図１７に示すような告知電子メール２１０若しくは図１８に示すような告知カード２２０により、結婚式を挙行することを告知されると、ステップＳ３１の処理において、前記告知電子メール２１０若しくは告知カード２２０に表示された受注サーバ５のＵＲＬに基づいて、告知先端末８から電子ネットワーク２０を介して受注サーバ５にアクセスする。
【００７９】
ステップＳ３２の処理において、受注サーバ５は、告知先端末８からアクセスを受けると、メッセージ登録部２４の処理が開始され、図９に示すようなログイン画面１１０を告知先端末８に送信する。
【００８０】
ステップＳ３３の処理において、告知先端末８はログイン画面１１０を表示し、告知先３は、告知先端末８を操作して前記告知電子メール２１０若しくは告知カード２２０に表示された、告知先情報または告知先識別情報を告知先情報または告知先識別情報入力欄１１１に入力し、告知先認証情報を告知先認証情報入力欄１１２に入力する。
【００８１】
ステップＳ３４の処理において、告知先３は、入力が終了したらログインボタン１１３をクリックし、告知先端末８は告知先情報または告知先識別情報および告知先認証情報を受注サーバ５に送信する（図１における「告知先情報、告知先識別情報、告知先認証情報によるアクセス４４」）。
【００８２】
ステップＳ３５の処理において、メッセージ登録部２４は、告知先端末８から受信した告知先情報または告知先識別情報および告知先認証情報を、告知先情報データベース１８から検索する。
【００８３】
ステップＳ３６の処理において、メッセージ登録部２４は、ステップＳ３５の処理の結果を判別する。
【００８４】
告知先端末８から受信した告知先情報または告知先識別情報、および告知先認証情報が、告知先情報データベース１８に格納されていない場合、ステップＳ３７の処理において、メッセージ登録部２４は、エラーメッセージを告知先端末８に送信し、処理をステップＳ３２に戻す。
【００８５】
告知先端末８から受信した告知先情報または告知先識別情報、および告知先認証情報が、告知先情報データベース１８に格納されている場合、ステップＳ３８の処理において、メッセージ登録部２４は、告知先情報を参照して該当する祝宴情報を祝宴情報データベース１５から検索し、メッセージ受付期限前か後かを判別する。
【００８６】
メッセージ受付期限が過ぎていると判別した場合、ステップＳ３９の処理において、メッセージ登録部２４は、メッセージ受付終了フォーム（図示せず）を告知先端末８に送信し、処理を終了する。
【００８７】
メッセージ受付期限前であると判別した場合、ステップＳ４０の処理において、メッセージ登録部２４は、図１０に示すようなメッセージ受付フォーム１２０を告知先端末８に送信する。メッセージ受付フォーム１２０には告知先３によって入力された告知先情報または告知先識別情報に対応する告知先３の氏名１０１、新郎新婦２の氏名１０２がヘッダ部に表示され、新郎新婦２のプロフィールやなれそめ等を参照するためのプロフィール参照ボタン１２１，メッセージ受付ボタン１２２が配置されている。さらに、メッセージ受付フォーム１２０には、祝宴情報１２３として例えば挙式や披露宴日時、挙式会場や披露宴会場の名称、住所、交通手段などが表示される。
【００８８】
ステップＳ４１の処理において、告知先端末８は、メッセージ受付フォーム１２０を表示し、告知先３は告知先端末８を操作して図１０に示すメッセージ受付ボタン１２２または図１１に示すメッセージ受付ボタン１３１をクリックする。
【００８９】
なお、告知先３が告知先端末８を操作してプロフィール参照ボタン１２１をクリックすると、一例として図１１に示すようなプロフィール参照画面１３０が受注サーバ５から告知先端末８に送信、表示される。プロフィール参照画面１３０は、新郎新婦２が作成格納した祝宴情報データベース１５を参照して作成されるプロフィール表示欄１３２，１３３やメッセージ受付ボタン１３１、前ページに戻るための前ページボタン１３４等が配置されている。メッセージを送る告知先３は、プロフィール表示欄１３２，１３３に表示される新郎新婦２のプロフィールを参考にしてメッセージを送ることができる。
【００９０】
ステップＳ４２の処理において、メッセージ登録部２４は、メッセージ受付ボタン１２２またはメッセージ受付ボタン１３１のクリックに応じて、図１２に示すようなメッセージカードの種類を選択するための種類選択フォーム１４０を告知先端末８に送信する。種類選択フォーム１４０には、メッセージカードの見本画像１４１ａ，１４１ｂ，１４１ｃ，１４１ｄ，…と、対応する選択ボタン１４２ａ，１４２ｂ，１４２ｃ，１４２ｄ，…とが配置されている。
【００９１】
ステップＳ４３の処理において、告知先端末８は種類選択フォーム１４０を表示し、告知先３は告知先端末８を操作して選択ボタン１４２ａ，１４２ｂ，１４２ｃ，１４２ｄ，…のいずれかをクリックする。
【００９２】
選択ボタン１４２ａ，１４２ｂ，１４２ｃ，１４２ｄ，…のいずれかがクリックされると、ステップＳ４４の処理において、メッセージ登録部２４は、図１３に示すようなメッセージ入力フォーム１５０を告知先端末８に送信する。メッセージ入力フォーム１５０には、定型的メッセージ文例を示す文例１５２ａ，１５２ｂ，１５２ｃ，１５２ｄと、対応する選択ボタン１５１ａ，１５１ｂ，１５１ｃ，１５１ｄや、自由にメッセージを記入できるメッセージ入力欄１５３が配置されている。さらに、メッセージ入力フォーム１５０に、告知先３やその家族の氏名入力欄１５４や職業入力欄１５５等を設けても良い。なお、メッセージ入力欄１５３には、例えばイラストや写真などの画像データを添付可能としても良い。
【００９３】
ステップＳ４５の処理において、告知先端末８はメッセージ入力フォーム１５０を表示し、告知先３は告知先端末８を操作してメッセージ入力エリア１５２にメッセージを入力するか、文例１５２ａ〜１５２ｄの中から選択し、対応する選択ボタン１５１ａ〜１５１ｄのいずれかをクリックする。
【００９４】
ステップＳ４６の処理において、メッセージの入力が終了すると告知先３は送信ボタン１５６をクリックし、告知先端末８は入力されたメッセージをメッセージ登録部２４に送信する（図１における「メッセージ入力４５」）。
【００９５】
ステップＳ４７の処理において、メッセージ登録部２４は、メッセージを受信すると、図１４に示すような告知先情報確認フォーム１６０を告知先端末８に送信する。告知先情報確認フォーム１６０には、告知先３の属性情報として氏名欄１６１，１６２、性別欄１６３、郵便番号欄１６４、住所欄１６５，１６６、電話番号欄１６７、ファックス番号欄１６８、電子メールアドレス欄１６９等が配置されている。さらに、告知先情報確認フォーム１６０には、確認の結果を送信するための修正ボタン２００、ＯＫボタン２０１が配置されている。なお、告知先情報確認フォーム１６０の各欄には、告知先情報または告知先識別情報を基に告知先情報データベース１８から抽出した告知先情報を表示する。
【００９６】
ステップＳ４８の処理において、告知先端末８は、告知先情報確認フォーム１６０を表示する。告知先３は、告知先情報確認フォーム１６０に表示された告知先情報をチェックし、追加または修正を加えた場合は修正ボタン２００を、表示された内容で良い場合はＯＫボタン２０１をクリックする。
【００９７】
ステップＳ４９の処理において、メッセージ登録部２４は、ステップ４８における修正ボタン２００またはＯＫボタン２０１のクリックに応じて、図１５に示すような課金情報入力フォーム１７０を告知先端末８に送信する。課金情報入力フォーム１７０には、クレジット番号欄１７１、氏名欄１７２、有効期限欄１７３、送信ボタン１７５および処理を取り消すためのキャンセルボタン１７６等が配置されている。
【００９８】
ステップＳ５０の処理において、告知先端末８は、課金情報入力フォーム１７０を表示し、告知先３は告知先端末８を操作してクレジット番号１７１、氏名１７２、有効期限１７３等を入力する。
【００９９】
ステップＳ５１の処理において、入力が終了すると告知先３は送信ボタン１７５をクリックし、告知先端末８は入力された課金情報をメッセージ登録部２４に送信する（図１における「課金情報入力４６」）。この時、手続きを取り消しする場合は、告知先３はキャンセルボタン１７６をクリックし、メッセージ登録部２４は、キャンセルボタン１７６のクリックに応じて処理を終了する。
【０１００】
ステップＳ５２の処理において、メッセージ登録部２４は、課金情報を受信すると課金情報の与信処理を行う。
【０１０１】
ステップＳ５３の処理においてメッセージ登録部２４は、与信処理の可否を判別する。
【０１０２】
判別の結果、与信処理が否であれば、ステップＳ５４の処理において、メッセージ登録部２４は、エラーメッセージを告知先端末８に送信し、処理をステップＳ４９に戻す。
【０１０３】
判別の結果、与信処理が可であれば、ステップＳ５５の処理において、メッセージ登録部２４は、メッセージの受付番号を採番し、メッセージ情報データベース１６にメッセージカードの受付番号、メッセージカードの種類、メッセージ等を告知先情報または告知先識別情報と関連付けて格納すると共に、告知先情報の修正がある場合は告知先情報データベース１８を修正する。
【０１０４】
ステップＳ５６の処理において、メッセージ登録部２４は、図１６に示すようなメッセージ受付完了画面１８０を告知先端末８に送信し、処理を終了する。メッセージ受付完了画面１８０には受付番号欄１８１が配置されており、受付番号欄１８１には採番されたメッセージカードの受付番号が表示される。
【０１０５】
ステップＳ５７の処理において、告知先端末８はメッセージ受付完了画面１８０を表示する。
【０１０６】
以上の処理の流れによりメッセージカード受注処理は終了する。
【０１０７】
〔メッセージカード／告知カード印刷処理〕
図８に示すフローチャートを参照してメッセージカードの印刷処理を実行する際の、印刷端末９および印刷所４とスケジューラ部２５の処理動作について詳しく説明する。尚、告知カードの印刷処理については、メッセージカードの印刷処理と同様であり説明を省略する。
【０１０８】
ステップ５１の処理において、スケジューラ部２５は、受注サーバ５のタイマーを参照して、当日に、印刷情報を印刷端末９に送信すべき祝宴情報または祝宴識別情報があるか否か、スケジュールデータベース１９および祝宴情報データベース１５を検索する。
【０１０９】
ステップ５２の処理において、スケジューラ部２５は、ステップ５１の検索結果の有無を判別する。
【０１１０】
メッセージカードの印刷情報を印刷端末９に送信すべき祝宴情報または祝宴識別情報が無いと判別した場合は処理を終了する。
【０１１１】
メッセージカードの印刷情報を印刷端末９に送信すべき祝宴情報または祝宴識別情報が有ると判別した場合、ステップ５３の処理においてスケジューラ部２５は祝宴情報または祝宴識別情報毎にメッセージ情報データベース１６からメッセージカードの種類、メッセージ情報、告知先情報等のメッセージカード受注情報を抽出する。
【０１１２】
ステップ５４の処理においてスケジューラ部２５は祝宴情報または祝宴識別情報毎に抽出したメッセージカード受注情報と祝宴情報とを印刷端末９に送信し、処理を終了する（図１における「告知カードの印刷情報送信３９」「メッセージカードの印刷情報送信４８」）。
【０１１３】
なお、告知情報を電子メールで告知する場合は、スケジューラ部２５は告知情報登録部２２へ告知電子メール発信指示をし、告知情報登録部２２は告知先情報の電子メールアドレスに告知電子メールを配信する（図１における「告知電子メール配信３８」）。
【０１１４】
ステップ５５の処理において印刷端末９がメッセージカードの印刷処理情報と祝宴情報とを受信すると印刷所４は印刷処理情報から指定されたメッセージカードの種類を印刷装置１０にセットしメッセージ情報、告知先情報等を印刷装置１０に送信し印刷する。
【０１１５】
ステップ５６の処理において印刷所４は配送用ラベルを印刷装置１０にセットし、印刷端末９がスケジューラ部２５から受信した祝宴情報を印刷装置１０に送信し配送用ラベルに祝宴情報を印刷する。
【０１１６】
ステップＳ５７の処理において、印刷所４は祝宴情報毎に印刷したメッセージカードを梱包し配送用ラベルを貼り、配送用ラベルに表示された例えばホテル１に配送する（図１における「告知カードの配送４０」「メッセージカードの配送４９」）。
【０１１７】
そして、ホテル１は、配送用ラベルに表示された祝宴情報に従って、新郎新婦２に手渡しする（図１における「告知カードの手渡し４１」「メッセージカードの手渡し５０」）。
【０１１８】
新郎新婦２は、渡された告知カードを告知先３に送付する（図１における「告知カードの送付４２」）。
【０１１９】
なお、告知カード印刷処理は、図１８に示す例では、ＵＲＬ、告知先識別情報、告知先認証情報、利用期限など機密保持を必要とする部分には機密保持処理２２１（一例として目隠しシールの貼り付け、スクラッチ印刷等）を必要とする点がメッセージカードの印刷と異なる。
【０１２０】
以上の説明から明らかなように、本実施の形態におけるメッセージカード印刷システムによれば、受注サーバ５は、メッセージカードの受注情報を祝宴情報または祝宴識別情報毎に仕分けして印刷所４に送信し、印刷するようにしているため、新郎新婦２宛てのメッセージカードを一つのパッケージにして印刷所４から新郎新婦２まで配送することで、人手作業の介入による誤りを排除でき、メッセージカードを新郎新婦２に容易に且つ確実に配達することができる。
【０１２１】
また、受注サーバ５は、各祝宴情報に固有の祝宴識別情報を付与して祝宴情報データベース１５に格納する。このような構成によれば、メッセージカードの送り主となる告知先３は、祝宴毎にユニークに付与された祝宴識別情報を用いて告知先端末８から祝宴を特定し、メッセージカードの配達を注文することができるので、所望する祝宴の情報を検索する際に要する労力を軽減することができる。
【０１２２】
また、受注サーバ５は、祝宴情報に付与した祝宴識別情報を告知先３に送信する。このような構成によれば、告知先３は告知先端末８から祝宴識別情報を利用して祝宴情報データベース１５の中から簡単に祝宴情報を抽出することができる。
【０１２３】
さらに、受注サーバ５は、告知先３毎に固有の告知先識別情報を割り当て、この告知先識別情報を告知先３に送信する。このような構成によれば、告知先識別情報を利用して告知先３を特定することができるので、メッセージカードの印刷を注文する際に、告知先３が自身の情報を入力する労力を大幅に軽減することができる。
【０１２４】
また、受注サーバ５は、各祝宴情報に祝宴識別情報と祝宴認証情報とを付与して祝宴情報データベース１５に記憶し、祝宴識別情報と祝宴認証情報とに基づいて祝宴の情報を抽出する。このような構成によれば、祝宴の情報が第三者に漏洩することを防止し、祝宴の情報の機密性を向上させることができる。
【０１２５】
また、受注サーバ５は、各告知先３毎に固有の告知先識別情報とを割り当て、この告知先識別情報と告知先認証情報を告知先３に送信する。このような構成によれば、告知先識別情報と告知先認証情報を利用して告知先を特定することができるので、祝宴情報や告知先３の機密性をさらに向上させることができる。
【０１２６】
なお、本実施形態では、結婚式・披露宴に贈るメッセージカードの印刷を承るメッセージカード印刷システムを例に説明したが、結婚式・披露宴以外にも、例えば、受賞記念パーティー、誕生日や長寿祝いのパーティー、結婚記念日のパーティーなど、各種セレモニーやパーティーに贈るメッセージカードの印刷を承るメッセージカード印刷システムとして実施することができる。
【０１２７】
このように、本発明は、その精神または主要な特徴から逸脱することなく、他の色々な形で実施することができる。そのため、前述の実施例はあらゆる点で単なる例示に過ぎず、限定的に解釈してはならない。本発明の範囲は、特許請求の範囲によって示すものであって、明細書本文には何ら拘束されない。更に、特許請求の範囲の均等範囲に属する変形や変更は、全て本発明の範囲内のものである。
【０１２８】
【発明の効果】
本発明によれば、容易にしかも確実に祝宴主催者に配達することができるメッセージカードの印刷を承る印刷システム及び受注サーバを提供することができる。
【図面の簡単な説明】
【図１】本発明の一実施形態におけるメッセージカード印刷システムを模式的に例示する模式図である。
【図２】図１に示したメッセージカード印刷システムの構成例を示す概略構成図である。
【図３】図１に示したメッセージカード印刷システムにおける受注サーバの構成例を示すブロック図である。
【図４】図１に示すメッセージカード印刷システムにおける祝宴情報登録処理を説明するためのフローチャートである。
【図５】図１に示すメッセージカード印刷システムにおける告知情報登録処理を説明するためのフローチャートである。
【図６】図１に示すメッセージカード印刷システムにおけるメッセージカード受注処理の前半部分の処理を説明するためのフローチャートである。
【図７】図６に示すメッセージカード受注処理の前半部の処理に続く後半部の処理を説明するためのフローチャートである。
【図８】図１に示すメッセージカード印刷システムにおけるメッセージカード印刷処理を説明するためのフローチャートである。
【図９】図１に示すメッセージカード印刷システムにおけるログイン画面を例示する模式図である。
【図１０】図１に示すメッセージカード印刷システムにおけるメッセージ受付フォームを例示する模式図である。
【図１１】図１に示すメッセージカード印刷システムにおけるプロフィール参照画面を例示する模式図である。
【図１２】図１に示すメッセージカード印刷システムにおけるメッセージカードの種類選択フォームを例示する模式図である。
【図１３】図１に示すメッセージカード印刷システムにおけるメッセージ入力フォームを例示する模式図である。
【図１４】図１に示すメッセージカード印刷システムにおける告知先情報確認フォームを例示する模式図である。
【図１５】図１に示すメッセージカード印刷システムにおける課金情報入力フォーム画面を例示する模式図である。
【図１６】図１に示すメッセージカード印刷システムにおけるメッセージ受付完了画面を例示する模式図である。
【図１７】図１に示すメッセージカード印刷システムにおける告知電子メールを例示する模式図である。
【図１８】図１に示すメッセージカード印刷システムにおける告知カードを例示する模式図である。
【符号の説明】
１…ホテル
２…新郎新婦
３…告知先
４…印刷所
５…受注サーバ
６…ホテル端末
７…主催者端末
８…告知先端末
９…印刷端末
１０…印刷装置
１１…ＣＰＵ
１２…ＲＡＭ
１３…ＲＯＭ
１４…通信制御部
１５…祝宴情報データベース
１６…メッセージ情報データベース
１７…告知情報データベース
１８…告知先情報データベース
１９…スケジュールデータベース
２０…電子ネットワーク
２１…祝宴情報登録部
２２…告知情報登録部
２３…告知情報配信部
２４…メッセージ情報登録部
２５…スケジューラ部
１０１…告知先氏名
１０２…新郎新婦氏名
１１０…ログイン画面
１１１…告知先情報又は告知先識別情報
１１２…告知先認証情報
１１３…ログインボタン
１２０…メッセージ受付フォーム
１２１…プロフィール参照ボタン
１２２…メッセージ受付ボタン
１２３…祝宴情報
１３０…プロフィール参照画面
１３１…メッセージ受付ボタン
１３２，１３３…プロフィール表示欄
１４０…種類選択フォーム
１４１ａ，１４１ｂ，１４１ｃ，１４１ｄ，…見本画像
１４２ａ，１４２ｂ，１４２ｃ，１４２ｄ，…選択ボタン
１５０…メッセージ入力フォーム
１５１ａ，１５１ｂ，１５１ｃ，１５１ｄ…選択ボタン
１５２ａ，１５２ｂ，１５２ｃ，１５２ｄ…文例
１５３…メッセージ入力欄
１５４…氏名入力欄
１５５…職業入力欄
１５６…送信ボタン
１６０…告知先情報確認フォーム
１６１，１６２…氏名欄
１６３…性別欄
１６４…郵便番号欄
１６５，１６６…住所欄
１６７…電話番号欄
１６８…ファックス番号欄
１６９…電子メールアドレス欄
１７０…課金情報入力フォーム
１７１…クレジット番号欄
１７２…氏名欄
１７３…有効期限欄
１８０…メッセージ受付完了画面
１８１…受付番号
２００…修正ボタン
２０１…ＯＫボタン
２１０…告知電子メール
２２０…告知カード
２２１…機密保持処理
【図１】
2004013747.tif 000003
【図２】
2004013747.tif 000004
【図３】
2004013747.tif 000005
【図４】
2004013747.tif 000006
【図５】
2004013747.tif 000007
【図６】
2004013747.tif 000008
【図７】
2004013747.tif 000009
【図８】
2004013747.tif 000010
【図９】
2004013747.tif 000011
【図１０】
2004013747.tif 000012
【図１１】
2004013747.tif 000013
【図１２】
2004013747.tif 000014
【図１３】
2004013747.tif 000015
【図１４】
2004013747.tif 000016
【図１５】
2004013747.tif 000017
【図１６】
2004013747.tif 000018
【図１７】
2004013747.tif 000019
【図１８】
2004013747.tif 000020